(57)【特許請求の範囲】
【請求項１】
電気・電子部品が実装される基板を収容する第一ケース部材及び第二ケース部材を前記基板が内封される所定の重ね合わせ状態となるように相対移動させてカシメ具により結合封止される遊技機用基板ケースであって、
前記第一ケース部材に前記相対移動と交差する方向に弾性変位して前記第二ケース部材に形成される係合部と係脱する弾性係止片を備えると共に該弾性係止片の係止解除方向に位置して前記カシメ具を収納する収納部を設け、前記弾性係止片と係合部が係合することにより前記第一ケース部材及び第二ケース部材の相対移動が規制され、
前記弾性係止片は弾性変位可能な弾片の一部として切り溝により形成され、前記弾片の弾性変位に追従して或いは単独で前記収納部に向けて弾性変位可能であり、前記係合部との係合は外力により前記弾片を前記収納部に臨むように弾性変位させることにより係止解除可能であり、
前記カシメ具は、前記収納部に収納された状態で前記弾片の弾性変位を阻止する阻止部と前記第一ケース部材及び第二ケース部材を前記所定の重ね合わせ状態とするときに発生する弾性係止片の弾性変位を許容する空隙部を備え、
前記収納部に前記カシメ具を収納した状態で前記第一ケース部材及び第二ケース部材を所定の重ね合わせ状態に相対移動させたとき、前記弾片が前記カシメ具の阻止部に弾性変位を規制された状態で前記弾性係止片と係合部が係合し、第一ケース部材及び第二ケース部材が相対移動不能に結合することを特徴とする遊技機用基板ケース。
【請求項２】
前記弾片は前記収納部に臨み前記カシメ具を保持する規制部が設けられ、前記カシメ具には前記規制部に係止する係止片が設けられる請求項１記載の遊技機用基板ケース。
【請求項３】
前記弾片は操作部を備え、該操作部は前記収納部の一側を閉鎖し、該収納部に収納されたカシメ具の一側を覆う請求項１又は２記載の遊技機用基板ケース。
【請求項４】
請求項１乃至請求項３いずれか記載の遊技機用基板ケースを備えることを特徴とする遊技機。
【発明の詳細な説明】
【技術分野】
【０００１】
本発明は、遊技機用基板ケース及びそれを備えた遊技機に関する。
【背景技術】
【０００２】
遊技機において、例えばぱちんこ機の遊技盤裏側には、遊技制御を行うための主制御基板等の基板を収容する基板ケースが固定されている。基板ケースは、ベース部材及びカバー部材を備え、ベース部材及びカバー部材を所定の重ね合わせ状態にすることにより、主制御基板を外部から保護するように形成されている。また、基板ケースは、主制御基板に実装され遊技機の作動内容を制御するＲＯＭやＣＰＵ等の制御素子が不正に交換されたりすることがないように、ベース部材及びカバー部材が係止部によって結合され、この係止状態を簡単に解除できないようにしている。これにより、基板ケースが不正に開封することができないようになっている。
【０００３】
例えば、係止部を操作できないように、係止片の解除方向への動きを規制する封止部材を装着することにより基板ケースの連結状態が解除できないようにした基板ケースが提案されている（例えば、特許文献１参照）。
【０００４】
また、基板ケースは基板検査が可能なように複数の係止部が設けられ、この係止部が連結部を介して設けられている。そして、検査の際には、ベース部材とカバー部材が連結状態にある基板ケースの連結部（切断対象となる部位）を例えばニッパー等の工具で切断することにより、ベース部材に対してカバー部材を開封することができるようになっている。そして、連結部を切断した切断部分は、基板ケースを開封した痕跡として残るようになっており、不正な開封を未然に防止するようにしている（例えば、特許文献２参照）。
【先行技術文献】
【特許文献】
【０００５】
【特許文献１】特開２００２−１７２２４３号公報
【特許文献２】特開２００９−１００９１３号公報
【発明の概要】
【発明が解決しようとする課題】
【０００６】
特許文献１に開示された基板ケースにあっては、カバー部材をベース部材に係止した後に封止部材を装着して基板ケースが開封することができないようにしているため、組み付けの最後に封止部材のような細かい部品を取り扱わなければならず、封止部材を落としたり紛失したりして作業が煩わしいものとなっている。また、封止部材を最後に装着することにより封止部材が基板ケースの表面に露出しているため、封止部材をいたずらして外し、基板ケースを不正に開封するおそれがある。
【０００７】
また、特許文献２に開示された基板ケースにあっては、カバー部材とベース部材を締結する特殊ねじが予めケース体に装着されているものの、カバー部材とベース部材を所定の重ね合わせ状態にした後に、特殊ねじを螺締めして基板ケースを封止するようにしているため、ドライバー等の工具が必要となり作業が煩わしいものとなっている。
【０００８】
本発明は、上記した事情に鑑みてなされたもので、組立てや所定の検査・メンテナンスをする際の作業性にも配慮がなされた遊技機用基板ケース及びそれを備えた遊技機を提供することを課題とする。
【課題を解決するための手段】
【０００９】
上記課題を解決するために、本発明の遊技機用基板ケースは、電気・電子部品が実装される基板を収容する第一ケース部材及び第二ケース部材を前記基板が内封される所定の重ね合わせ状態となるように相対移動させてカシメ具によりを結合封止される遊技機用基板ケースであって、前記第一ケース部材に前記相対移動と交差する方向に弾性変位して係脱する弾性係止片を備えると共に該弾性係止片の係止解除方向に位置して前記カシメ具を収納する収納部を設け、前記第二ケース部材に前記弾性係止片が係合する係合部を備え、前記弾性係止片と係合部が係合することにより前記相対移動が規制され、前記弾性係止片は弾性変位可能な弾片の一部として切り溝（切欠）により形成され、前記弾片の弾性変位に追従して或いは単独で前記収納部に向けて弾性変位可能であり、前記係合部との係合は外力により前記弾片を前記収納部に臨むように弾性変位させることにより係止解除可能であり、前記カシメ具は、前記収納部に収納された状態で前記弾片の弾性変位を阻止する阻止部と前記第一ケース部材及び第二ケース部材を前記所定の重ね合わせ状態とするときに発生する弾性係止片の弾性変位を許容する空間部を備え、前記収納部に前記カシメ具を収納した状態で前記第一ケース部材及び前記第二ケース部材を所定の重ね合わせ状態に相対移動させたとき、前記弾片が前記カシメ具の阻止部に弾性変位を規制された状態で前記弾性係止片と係合部が係合し、第一ケース部材及び第二ケース部材が相対移動不能に結合することを特徴とする。ここでいう相対移動とは、第一ケース部材及び第二ケース部材がスライド移動，回転移動する場合を含む。
【００１０】
上記構成によれば、前記第一ケース部材に弾片の一部として切り溝（切欠）により形成する弾性係止片を備え、前記第二ケース部材に前記弾性係止片が係合する係合部を備え、予め第一ケース部材にカシメ具を装着した状態で、第一ケース部材と第二ケース部材とを所定の重なり状態で弾性係合により結合できるので、工具等がいらず組立てが簡単で所定の検査・メンテナンスをする際の作業性にも配慮がなされ、しかもカシメ具によりその弾性係合解除を阻止するようにしたので、基板ケースを確実な封止状態とすることができる。
【００１１】
また、前記弾片は前記収納部に臨み前記カシメ具を保持する規制部が設けられ、前記カシメ具には前記規制部に係止する係止片が設けられる。なお、規制部または係止片の少なくともいずれか一方に弾性を付与して、その弾性力により係止するようにするのがよい。
【００１２】
これによれば、前記弾片に収納部に臨んでカシメ具を保持する規制部を設け、前記カシメ具には前記規制部に係止する係止片を設けたことにより、収納部にカシメ具が抜脱不能状態に装着することができる。また、収納部にカシメ具が仮固定されているので、持ち運びに際しカシメ具を紛失することがない。
【００１３】
また、前記弾片は操作部を備え、該操作部は前記収納部の一側を閉鎖し、該収納部に収納されたカシメ具の一側を覆うようにするのがよい。
【００１４】
これによれば、前記弾片に前記収納部の一側を閉鎖し、該収納部に収納されたカシメ具の一側を覆うように操作部を設けたことにより、外部からカシメ具を接触できないため、カシメ具に悪戯して行う不正行為を防止することができる。
【００１５】
また、基板ケースには前記弾性係止片及び係合部が複数対設けられ、該弾性係止片又は係合部の少なくとも一方を切断可能な連結部を介して設け、収納部のいずれかにカシメ具を収容するのがよい。
【００１６】
これによれば、複数回の検査やメンテナンスに対応することができる。検査やメンテナンスをする際には連結部を切断して弾性係止片又は係合部を切離して第一ケース部材と第二ケース部材の封止状態を解除し、カシメ具が収容されていない側の弾性係止片を操作して第一ケース部材と第二ケース部材との係合を解除して基板ケースを開封することができる。
【００１７】
そして、本発明の遊技機は、上記遊技機用基板ケースを備えることを特徴とする。
【００１８】
これによれば、上記効果を奏する遊技機用基板ケースを備えることから、有用な遊技機として提供することができるという効果を奏する。
【発明の効果】
【００１９】
本発明によれば、所定の検査・メンテナンスをする際の作業性に配慮がなされ、工具等がいらず簡単に組立てを行うことができ、しかも確実な封止状態とする有用な遊技機用基板ケースを提供することができるという効果を奏する。
【００２０】
また、本発明によれば、上記効果の所定の検査やメンテナンスをする際の作業性に配慮がなされた遊技機用基板ケースを備えることから、有用な遊技機として提供することができるという効果を奏する。
【図面の簡単な説明】
【００２１】
【図１】本発明の基板ケースを取り付けた遊技機の背面図である。
【図２】（ａ）は基板ケースの斜視図であり、（ｂ）はその平面図である。
【図３】基板ケースの分解斜視図である。
【図４】ベース部材側の分解斜視図である。
【図５】基板ケースの組み付け前を示す分解斜視図である。
【図６】（ａ）はカバー部材の背面図であり、（ｂ）はカバー部材を背面から見た斜視図である。
【図７】（ａ）は弾性係止片の裏面斜視図であり、（ｂ）はカシメ具の斜視図である。
【図８】（ａ）〜（ｃ）はカシメ具を装着する説明図である。
【図９】（ａ）、（ｂ）は基板ケースの組み付け作用を示す図２のＡ−Ａ線で切断した断面図である。
【図１０】カバー部材とベース部材の係合を示す要部断面図である。
【図１１】被覆部材の取付を示す要部断面図である。
【図１２】（ａ）、（ｂ）は基板ケースの解除動作を示す説明図である。
【図１３】弾性係止片の解除操作を示す要部断面図である。
【図１４】基板ケースの他の組み付け作用を示す要部断面図である。
【図１５】（ａ）は他の実施例の弾性係止片の裏面斜視図であり、（ｂ）は他の実施例のカシメ具の斜視図である。
【図１６】（ａ）〜（ｃ）は他の実施例の弾性係止片と係合部による基板ケースの組み付け作用を示す断面図である。
【発明を実施するための形態】
【００２２】
以下、この発明を実施するための最良の形態について図面を参照して説明する。図１に示す遊技機としてのぱちんこ機１は、外郭を構成する矩形枠状の外枠２と、この外枠２に対して開閉可能に設けられ、遊技盤（図示せず）が装着される内枠３とを備えている。また、ぱちんこ機１の背面側に、ぱちんこ機１が設置されるホールの島から遊技球が供給される貯留タンク５が設けられ、球通路６を介して貸球及び賞球として遊技球を球受皿（図示せず）へ払い出す球払出装置７が設けられている。
【００２３】
そして、ぱちんこ機１には、遊技を制御する主制御基板１０、表示制御基板、ランプ制御基板、音声制御基板、電源基板１１、払出制御基板１２、発射制御基板等がケース体に収納されて設けられている。実施例において、球払出装置７を制御する払出制御基板１２が収容される基板ケース１５について説明する。
【００２４】
基板ケース１５は、電気・電子部品が実装される基板を収容する第一ケース部材及び第二ケース部材を相対移動させて前記基板を内封した状態で両者が結合封止される。具体的には図２及び図３に示すように払出制御基板１２が収容されるカバー部材１６（第二ケース部材）及びベース部材１７（第一ケース部材）を備えて構成され、カバー部材１６及びベース部材１７を相対移動して所定の重ね合わせ状態で連結するための結合部を複数有している。実施例において、結合部は後述するカバー部材１６の係合部１８とベース部材１７に設けられる弾性係止片１９とカシメ具２０とを備え構成している。
【００２５】
払出制御基板１２は、図３に示すように基板本体１２ａの表面に電気部品、ＲＯＭやＣＰＵ等の電子部品２２及び複数の端子台（コネクタ）２３が実装されている。複数の端子台２３は、本実施例においては、基板本体１２ａの長手側部に沿うように所定の間隔をもって一列に並んで実装されている。基板本体１２ａには、固定用のビス孔２５ａと複数の位置決め孔２５ｂが貫通形成されている。払出制御基板１２は後述する位置決めピン２７で位置決めしてビスｂ１によりカバー部材１６に固定される。
【００２６】
カバー部材１６は、図３及び図６に示すようにＡＢＳ樹脂やポリカーボネート（ＰＣ）等の透明な熱可塑性樹脂材料により形成されている。また、カバー部材１６は、基板本体１２ａの表面に実装された電気部品、電子部品２２等が干渉しないように一対の長手側壁２９，３０及び一対の短手側壁３１，３２を備えて中央が外向きに膨出するように略直方体形状に成形されている。また、カバー部材１６は、一方の長手側壁２９側に鍔部３３を有し、鍔部３３には払出制御基板１２の端子台（コネクタ）２３が臨む開口３４が複数開設されている。また、カバー部材１６の裏側には、払出制御基板１２の位置決めピン２７と取付部２８が設けられ、長手側壁２９，３０に沿ってガイド溝３６が形成されている。そして、このガイド溝３６に後述するベース部材１７の係止爪３７が係止する係止部３８がガイド溝３６を跨ぐように所定の間隔をもって三箇所設けられている。また、一方の短手側壁３１には横長のスリットにより係止孔４０が所定の間隔をもって二箇所穿設され、他方の短手側壁３２には、結合部としての係合部１８が切断部となる連結部４１を介して所定の間隔をあけて複数（実施例では二箇所）突出して設けられている。連結部４１は、ニッパー等の工具で切断可能な形状に形成されおり、本実施例においては、略リブ状に形成されている。但し、連結部４１は、カバー部材１６及びベース部材１７の連結状態を維持するために、必要最低限の強度を有するように形成されている。また、係合部１８は、ベース部材１７と対向する側が開放した有底箱型の凹部１８ａを有しており、その凹部１８ａにベース部材１７側の弾性係止片１９（結合部）が係合する。なお、実施例では係合部１８を二箇所に設けたが、例えば三箇所であってもよくこの数に限定されるものではない。
【００２７】
ベース部材１７は、図３乃至図５に示すようにカバー部材１６と同様にＡＢＳ樹脂やポリカーボネート（ＰＣ）等の透明な熱可塑性樹脂材料により形成されている。また、ベース部材１７は、略矩形状に形成されるベース本体４２を有している。また、ベース部材１７には、ベース本体４２の長手方向の両側に高さの低い一対の側壁４３，４３が立設され、その一対の側壁４３，４３にＬ字状の切欠４４が形成されている。これにより、一対の側壁４３，４３には、その切欠４４によりカバー部材１６の係止部３８にスライド自在に係合する係止爪３７がカバー部材１６の係止部３８の配置位置に合わせて形成されている。つまり、カバー部材１６とベース部材１７とを所定の重ね合わせ状態又は開封する場合に、カバー部材１６の係止部３８がＬ字状の切欠４４を移動し係止爪３７と係脱する。また、ベース本体４２の一方の短手端部に膨出部４５が形成され、他方の短手側壁４７にカバー部材１６の係止孔４０に差込み挿入係止する係止突片４６が設けられている。
【００２８】
膨出部４５にはベース部材１７の長手方向に貫通し、カバー部材１６の係合部１８が入り込む空間部５８がベース部材１７の短手方向に所定の間隔をもって二箇所形成されている。そして、その空間部５８と空間部５８の間に位置する上壁４５ａに、二回目の封止用のカシメ具２０Ａを収容する収容凹部４８が形成され、カバー部材１６に設けられる蓋部４９により覆われ保持される。また、空間部５８を形成する上壁４５ａにはカバー部材１６の係合部１８の連結部４１を覆う被覆部５０が複数の切断部５１を介して設けられている。切断部５１は、ニッパー等の工具で切断し得る間隔をもって形成されている。つまり、切断部５１を切断し被覆部５０を取り除くことで、連結部４１が切断できるように露出する。言い換えれば、被覆部５０を切除しなければ連結部４１が切断できず、カバー部材１６とベース部材１７の結合を解除することはできない。また、ベース部材１７には、空間部５８に臨むように相対移動と交差する方向に弾性変位して係脱する結合部としての弾性係止片１９が設けられる。なお、実施例において連結部４１を被覆部５０で覆い、連結部４１を直接切断できないようにしたが、例えば連結部４１の側面を覆うように（沿うように）被覆部を設け、ニッパー等の工具で被覆部と連結部４１を同時に切断するようにしてもよい。このとき、被覆部を除去しないで連結部４１を切断することが極めて困難となり、カバー部材１６とベース部材１７のいずれが一方に痕跡を残さない不正開放をより効果的に防止することができる。
【００２９】
弾性係止片１９は、図３，図４及び図７に示すように、弾性変位可能な板状の弾片５２の一部として切り溝（切欠）５３によりカバー部材１６の係合部１８（凹部１８ａ）に係止する爪部１９ａを有して形成されている。また、弾片５２の端部には操作部５５が形成され、弾性係止片１９は操作部５５側が撓むように、切り溝（切欠）５３が形成されている。操作部５５は、空間部５８の一側を閉鎖しカシメ具２０の一側を覆うように板状に形成され、前面に摘み部５５ａが形成されている。また、弾片５２は、連結片５６に所定の間隔をもって一対設けられ、弾性係止片１９が空間部５８に臨むように連結片５６をベース部材１７に立設した３箇所のボス５７にビスｂ２着することにより固着される。このとき、空間部５８に入り込んだ弾片５２により空間部５８が二つに分断される。空間部５８は、弾性係止片１９の爪部１９ａが臨みカバー部材１６の係合部１８が入り込む挿入空間部５８ａと、弾性係止片１９の係止解除方向に位置してカシメ具２０を収納する収納部となる収納空間部５８ｂとに分けられる。したがって、弾性係止片１９は、弾片５２の弾性変位に追従して或いは単独で収納空間部５８ｂに向けて弾性変位可能であり、係合部１８との係合は外力により弾片５２を収納空間部５８ｂに臨むように弾性変位させることにより係止解除可能である。また、弾片５２には収納空間部５８ｂに臨んでカシメ具２０を保持する規制部６０が設けられている。
【００３０】
カシメ具２０，２０Ａは、図４及び図７に示すように合成樹脂により収納空間部５８ｂに合致収納される略直方体形状に形成されており、収納空間部５８ｂに収納された状態（図９参照）で弾性係止片１９の弾片５２の弾性変位を阻止するリブ状の阻止部６２とカバー部材１６及びベース部材１７を所定の重ね合わせ状態とするときに発生する弾性係止片１９の弾性変位を許容する空隙部６３を備えている。見方をかえれば、阻止部６２となるリブ壁により空隙部６３が形成されている。また、空隙部６３に臨んで弾片５２の規制部６０に係止してカシメ具２０の収納空間部５８ｂからの抜脱を阻止する係止片６４が、係止方向に拡開弾発するように起立して設けられている。また、カシメ具２０，２０Ａには、カシメ具２０，２０Ａを収納空間部５８ｂに収納する際に、規制部６０を回避するように阻止部６２の一部に切欠凹部７１が形成されている。つまり、カシメ具２０，２０Ａを収納空間部５８ｂに収納する際に規制部６０が阻止部６２と衝止するのを回避（阻止部６２が切欠凹部７１を通過）して、規制部６０と係止片６４とが接触係合するようにしている。
【００３１】
なお、膨出部４５は上面を一部切欠した被覆部材６６により上面の一部を除き略全体が覆われている。被覆部材６６は、図３及び図１１に示すようにビスｂ３によりベース部材１７に固着され、そのビスｂ３はカバー部材１６に設けられる舌片状の覆い片６７により隠蔽される。また、被覆部材６６には、覆い片６７の周囲を囲うようにリブ壁７０が設けられ、覆い片６７の位置決めになると共に覆い片６７をこじ開けられないようにしている。また、長手側壁には弾片５２の摘み部５５ａが臨む窓部６８が形成され、その窓部６８に隣設してかしめる順番を示す番号Ｎが刻設されている。
【００３２】
上記構成の基板ケース１５の組立ては、先ずカバー部材１６に払出制御基板１２を取付ける。詳しくは、基板本体１２ａの位置決め孔２５ｂを位置決めピン２７に嵌入して位置決めし、ビス孔２５ａと取付部２８とを合致させビスｂ１により固着する。このとき、基板本体１２ａに実装される端子台（コネクタ）２３が開口３４から露出して配線接続可能となる。これにより、基板本体１２ａに実装される電気部品、電子部品２２が保護された状態で取り付けられる（図５参照）。
【００３３】
次に、ベース部材１７に連結片５６を弾片５２（弾性係止片１９）が膨出部４５の空間部５８に臨むようにビスｂ２をボス５７に螺締めすることにより固定する。そして、被覆部材６６を弾片５２の摘み部５５ａが窓部６８から臨むようにビスｂ３によりベース部材１７に固着する。次に、カシメ具２０を図８に示すように弾片５２により形成された一方の収納空間部５８ｂに収納する。このとき、カシメ具２０の係止片６４が弾片５２の規制部６０に弾性係止して、収納空間部５８ｂから抜脱不能状態に装着され、弾片５２の弾性変位を阻止部６２で阻止し、弾性係止片１９が空隙部５８により弾性変位を許容された状態となっている。つまり、弾性係止片１９は、弾片５２の弾性変位に追従して変位すると共に単独でも弾性変位可能であり、係合部１８との係合は摘み部５５ａを操作すること（外力）により弾片５２を係止解除方向に弾性変位させることにより解除可能である。また、二回目の封止用のカシメ具２０Ａは、図５に示すように膨出部４５の収容凹部４８に載置する。なお、実施例において係止片６４に弾性を付与して規制部６０と係止するようにしたが、規制部６０に弾性を付与して、その弾性力により係止片６４に係止するようにしてもよい。
【００３４】
次に、図５に示す払出制御基板１２を取付けたカバー部材１６とベース部材１７を組み付ける。先ず、カバー部材１６を、図９（ａ）に示すベース部材１７と所定の重ね合わせ状態から少しずらした状態で、ベース部材１７の側壁４３，４３に形成された係止爪３７をカバー部材１６のガイド溝３６に挿入し、所定の方向に相対移動（スライド移動）させることで、係止爪３７と係止部３８が係合すると共に（図１０参照）、係止孔４０が係止突片４６と係合する。そのとき、カバー部材１６の係合部１８は膨出部４５のそれぞれに対応する空間部５８に入り込んで、弾性係止片１９を弾性変位させて爪部１９ａが係合部１８の凹部１８ａに係合し、カバー部材１６とベース部材１７の相対移動が規制される（図９（ｂ）参照）。そして、二回目の封止用のカシメ具２０Ａは蓋部４９により被覆保持され、被覆部材６６を固定したビスｂ３が図１１に示すように覆い片６７により被覆され、カバー部材１６とベース部材１７が所定の重ね合わせ状態となり、カバー部材１６とベース部材１７が完全に相対移動不能に結合し基板ケース１５が封止状態に組立てられる。
【００３５】
このとき、カバー部材１６の連結部４１は、図９（ｂ）に示す被覆部５０により被覆された状態にある。この状態で、カシメ具２０が装着された側（図２に示す刻印Ｎの「１」側）の摘み部５５ａを操作しても、弾片５２がカシメ具２０の阻止部６２に弾性変位を阻止されているので、弾性係止片１９と係合部１８の係合を解除することはできない。なお、他方の弾性係止片１９（図２に示す刻印Ｎの「２」側）は、図１３に示すように収納空間部５８ｂにカシメ具２０が装着されていないので、摘み部５５ａを操作すると弾片５２が弾性変位すると共に弾性係止片１９も追従変位して係合部１８との係合を解除可能であるが、一方の弾片５２がカシメ具２０により弾性変位不能であることから摘み部５５ａを操作しても弾性係止片１９も弾性変位せず、係合部１８との係合が解除できないことからカバー部材１６及びベース部材１７のスライド移動はできず基板ケース１５を開封することはできない。つまり、基板ケース１５に収納された払出制御基板１２は、完全に封止された状態にある。言い換えれば、切断部５１を切断しない限り基板ケース１５の封止解除をすることはできない。また、カシメ具２０は基板ケース１５内に内封され、外部から接触することができない状態であるため、カシメ具２０を悪戯して弾性係止片１９を操作可能にする外部からの不正行為が防止できる。このように、予めカシメ具２０をベース部材１７に装着させておくことで、ドライバーや特殊な工具を使用することもなく、カバー部材１６とベース部材１７を所定の重なり状態に相対移動させるだけで、確実に封止状態にすることができる。
【００３６】
次に、基板ケース１５に対し所定の検査やメンテナンスをする際に、封止状態にある基板ケース１５の封止を解除するには、カシメ具２０により封止されている側の被覆部５０の切断部５１を３箇所切断して被覆部５０を切除し、連結部４１を露出させる（図１２（ａ）参照）。そして、露出した連結部４１をニッパー等の工具を使って切断する。これにより、係合部１８がカバー部材１６から切離された状態となり、カシメ具２０が装着されていない他方の弾片５２の摘み部５５ａを操作して、弾片５２が弾性変位することで弾性係止片１９も追従変位して、爪部１９ａが凹部１８ａから外れ係合部１８との係合が解除され、カバー部材１６とベース部材１７とが離間可能となる。そして、図１２（ｂ）に示すようにカバー部材１６を係合解除方向へ相対移動させることで、係止爪３７と係止部３８及び係止突片４６と係止孔４０の係合が解除して基板ケース１５の封止を解除することができる。また、切断対象となる切断部５１及び連結部４１が切断されると、基板ケース１５の開封痕跡はカバー部材１６（連結部４１）及びベース部材１７（切断部５１）の両方に残るようになり、しかも基板ケース１５の開封事実を確認し易い位置に残るため、不正開放が即座に認識できる。
【００３７】
そして、基板ケース１５に対し所定の検査やメンテナンスが終了した際には、二回目の封止用のカシメ具２０Ａを収容凹部４８から取り出して、カシメ具２０が装着されていない収納空間部５８ｂ（図２に示す刻印Ｎの「２」側）に挿入すると、係止片６６が規制部６０に係止してカシメ具２０Ａが収納空間部５８ｂに抜脱不能な状態に装着保持される。そして、一方の係合部１８が切離されたカバー部材１６を所定の重ね合わせ状態に相対移動させると、他方の係合部１８が弾性係止片１９と係合して、カバー部材１６とベース部材１７とが結合され、基板ケース１５は再度封止状態になる。
【００３８】
図１４は基板ケース１５の他の実施例を示し、前記実施例と同じ構成には同一符号を付して説明を省略又は簡略する。この実施例の基板ケース１５は、ベース部材１７及びカバー部材１６をヒンジ機構にて開閉可能な形状に形成し、カバー部材１６を回動（矢印（イ）方向）により相対移動して重ね合わせ、係合部１８の凹部１８ａと弾性係止片１９の爪部１９ａとが係合し相対移動を規制するようにしている。挿入空間部５８ａ及び収納空間部５８ｂは、ベース本体４２と略直交するように設けられ、カシメ具２０を収納空間部５８ｂに収納し、係合部１８はカバー部材１６の回動によりベース本体４２と略直交するように挿入空間部５８ａに挿入されて係合する。また、係合部１８と弾性係止片１９との係合解除は、切断部５１を切断して被覆部５０を切除して連結部４１を切断すると係合部１８がカバー部材１６から切離し封止を解除し、カバー部材１６が開放可能となる。また、カシメ具２０が装着されていない側の係止解除は、窓部６８から突出した操作部５５ａを基板本体１２ａと略平行方向（矢印（ロ）方向）に押圧することで弾片５２が弾性変位し、これに追従して弾性係止片１９も弾性変位して係合部１８との係合が解除されカバー部材１６が開放される。
【００３９】
また、図１５（ａ）及び図１６に示すように弾性係止片１９に係合孔１９ｂを設け、係合部１８に爪部１８ｂを形成するようにしてもよい。この実施例において、弾性係止片１９は、図１５（ａ）に示すように、弾性変位可能な板状の弾片５２の一部として切り溝（切欠）５３によりカバー部材１６の係合部１８（爪部１８ｂ）に係止する係合孔１９ｂを有して形成されている。また、弾性係止片１９には係止片６４と係合する規制部６０が形成されている。なお、弾性係止片１９は連結片５６側が撓むように切り溝（切欠）５３が形成されている。また、連結片５６には爪部１８ｂが通過する溝部５６ａが形成されており、この溝部５６ａは切り溝（切欠）５３とつながって形成されている。また、この実施例のカシメ具２０Ｂは、図１５（ｂ）に示すように、係止片６４の弾性変形する側の阻止部６２に空隙部６３とともに弾性係止片１９の弾性変位を許容する切欠部７２が形成されている。
【００４０】
カバー部材１６とベース部材１７を組み付けるには、図１６（ａ）の状態からカバー部材１６を同図矢印方向に相対移動させると、図１６（ｂ）に示すように溝部５６ａを通過した爪部１８ｂにより弾性係止片１９を下方に撓ませながら係合部１８を挿入空間部５８ａに挿入する。このとき、爪部１８ｂが弾性係止片１９を空隙部６３内に撓ませると共にカシメ具２０Ｂの係止片６４も弾性係止片１９に押されて撓むため、爪部１８ｂの通過が許容され係合部１８を挿入空間部５８ａに挿入することができる。また、規制部６０は弾性係止片１９の撓みにより係止片６４と係止しながら切欠部７２に臨んでいる。そして、爪部１８ｂが弾性係止片１９弾性復帰により係合孔１９ｂと係合することで相対移動が規制され、ベース部材１７とカバー部材１６が相対移動不能に結合される（図１６（ｃ）参照）。したがって、摘み部５５ａを操作しても、弾片５２がカシメ具２０Ｂの阻止部６２に弾性変位を阻止されているので、弾性係止片１９は撓む事がなく爪部１８ｂと係合孔１９ｂとの係合を解除することはできない。
【００４１】
本発明は本発明の主旨を変えない範囲で種々変更実施可能なことは勿論である。例えばカシメ具２０（２０Ｂ）と二回目の封止用のカシメ具２０Ａとを色を変えて、基板ケース１５の出荷時用と検査時用とを識別可能に形成してもよい。また、ベース部材１７とカバー部材１６の結合部の構成を逆にして、ベース部材１７に係合部を設け、カバー部材１６に弾性係止片を設けるようにしてもよい。また、本発明の基板ケース１５では、ビスによって被覆部材６６及び弾片５２が固定されているので、それらを外すことで、一回目のカシメ具２０（２０Ｂ）を外すことが可能である。したがって、二回目の封止用のカシメ具２０Ａを用意することなくその一回目のカシメ具２０（２０Ｂ）を使いまわして２回目の封止に再利用することが可能となる。
【００４２】
また、上記実施例において、遊技機としてぱちんこ機を例に説明したが、雀球遊技機，アレンジボール式遊技機、さらに回胴式又は画像式のスロット遊技機等にも本発明を適用することができる。
【符号の説明】
【００４３】
１                      ぱちんこ機（遊技機）
１５                    基板ケース
１６                    カバー部材（第二ケース部材）
１７                    ベース部材（第一ケース部材）
１８                    係合部（結合部）
１９                    弾性係止片（結合部）
２０，２０Ａ，２０Ｂ    カシメ具（結合部）
２２                    電子部品
５２                    弾片
５３                    切り溝
５５                    操作部
５５ａ                  摘み部
５８ｂ                  収容空間部（収納部）
６０                    規制部
６２                    阻止部
６３                    空隙部
６４                    係止片
【図１】
0005467943.tif 000002
【図２】
0005467943.tif 000003
【図３】
0005467943.tif 000004
【図４】
0005467943.tif 000005
【図５】
0005467943.tif 000006
【図６】
0005467943.tif 000007
【図７】
0005467943.tif 000008
【図８】
0005467943.tif 000009
【図９】
0005467943.tif 000010
【図１０】
0005467943.tif 000011
【図１１】
0005467943.tif 000012
【図１２】
0005467943.tif 000013
【図１３】
0005467943.tif 000014
【図１４】
0005467943.tif 000015
【図１５】
0005467943.tif 000016
【図１６】
0005467943.tif 000017